(57)【要約】【課題】  本発明は、コアンダ効果に基づいたエア分配装置であって、現在までに提案された装置より効果的な装置を提供することを目的とする。【解決手段】  本明細書において、コアンダ効果を使用したエア分配装置を記載している。これは、下流に配置された複数のダクト（８、９、及び１０）にフローＦを分配するためのものである。下流に配置された２つのダクトの最初の端部を分ける領域に、循環ダクトの入口を設ける。この循環ダクトはエアの循環を発生させる。このエアの循環は、フローＦが他のダクトから逸れる時下流に配置されたダクトの入口を閉じる。【選択図】図６
2005178759.tif 000002
【特許請求の範囲】
【請求項１】
コアンダ効果に基づくエア分配装置であって、
上記エア分配装置は、
上流に配置されたダクト（７）を備え、
上記の上流に配置されたダクト（７）は、下流に配置された複数のダクト（８、９、１０）に分岐され、
さらに上記エア分配装置は、
コアンダ効果を用いて、上記の上流に配置されたダクトから、上記の下流に配置されたダクト（８、９、１０）のうちのいずれかのダクトに通過するフロー（Ｆ）を偏向させるための手段とを備え、
上記偏向手段は、
第１の可動部材（１６）を有し、該第１可動部材（１６）は、末端のダクト（８）の入口付近の、上流に設けられたダクト（７）の壁部（７ａ）上に設けられ、
さらに第１可動部材（１６）は、
第１可動部材（１６）が上記エアフロー（Ｆ）を妨害しない第１ポジションと、
第１可動部材（１６）が上記エアフロー（Ｆ）に突き出した第２ポジションとの間に配置され、
上記第１可動部材（１６）の上述の第１ポジションにおいて、コアンダ効果により末端のダクト（８）の壁部（８ａ）に追随したまま、フローが上記の下流に配置された第１ダクト（８）に入り、
一方、可動部材（１６）の第２ポジションにおいて、エアフロー（Ｆ）は、コアンダ効果により、上記第１壁部（８ａ）に対向する壁部（８ｂ）に追随しつつ、下流に配置された第２のダクト（９）に入るエア分配装置において、
上記エア分配装置は、
２つの下流に配置されたダクト（８、９）の入口端部を分ける領域に、循環通路（２０）の入口が設けられ、
上記循環通路（２０）により、下流に設けられた２つのダクトのうちの１つに分配し、
さらに、上記循環通路（２０）は、エアフロー（Ｆ）が下流に配置されたダクト（８ｃ）に偏向される時、もう一方のダクト（８）の中に、上記ダクト（８）の入口を閉じるエア循環を発生させるように成形されていることを特徴とするエア分配装置。
【請求項２】
コアンダ効果に基づくエア分配装置であって、
上記コアンダ効果により偏向する手段が第２可動部材（１８）を備え、該第２可動部材（１８）が、第１可動部材（１６）が設けられた部分の反対側の壁部（８ｂ）上に設けられ、
上記第２可動部材（１８）は、
該第２可動部材がエアフロー（Ｆ）を妨害しない第１ポジションと、
上記第２可動部材が上記エアフローに突き出した第２ポジションとの間に配置され、
さらに、上記第１可動部材（１６）及び上記第２可動部材（１８）を、互いに同時に移動させることができ、
それにより上記第１可動部材（１６）が第１ポジションにある時、上記第２可動部材（１８）は第２ポジションにあり、
上記第１可動部材（１６）が第２ポジションにある時、上記第２可動部材（１８）は第１ポジションにあることを特徴とする請求項１記載のエア分配装置。
【請求項３】
上記第２可動部材（１８）が第２ポジションにある時、上記第２可動部材に衝突するエアフロー（Ｆ）に対して循環運動を与え、
上記エアフロー（Ｆ）が他のダクト（８）に偏向される時、上記循環運動により、上記エアフロー（Ｆ）に対して各ダクトの入口を閉じるように上記第２可動部材（１８）が配置されていることを特徴とする請求項１記載のエア分配装置。
【発明の詳細な説明】
【技術分野】
【０００１】
本発明は、コアンダ効果に基づいたエア分配装置に関する。このエア分配装置は、下流に配置された複数のダクトに分岐される上流に配置されたダクトと、コアンダ効果を利用して、上記ダクトから上記ダクトのどれか１つに通り抜けるエアフローを偏向させるために設計された手段とを備えるタイプである。
【背景技術】
【０００２】
コアンダ効果は、ダクトから排出されるエアフローが、該エアフローに近接する壁部に追随する現象である。本出願人により以前提案された装置において、コアンダ効果による上述の偏向手段は、ダクトの壁部に設けられた第１可動部材を備え、この第１可動部材は、下流に配置されたダクトの１つの入口の付近の上流に配置されており、第１可動部材が、上流に配置されたダクトを通るエアフローを妨害しない第１ポジションと、第１可動部材が上記フローに突き出している第２ポジションとの間に配置される。それにより上述の第１可動部材の第１ポジションにおいて、コアンダ効果によりこのダクトの壁部に追随しつつ、そのフローが下流に配置された第１ダクトに入る。一方上述の第１可動部材の第２ポジションにおいて、上流に配置されたダクトを通過するフローが、上記第１壁部に対向する、下流に配置された第２のダクトの壁部に追随する傾向にあり、それによりフローが、上述の下流に配置された第２ダクトに入る。
【発明の開示】
【発明が解決しようとする課題】
【０００３】
本発明は、上述のコアンダ効果に基づいたエア分配装置であって、現在までに提案された装置より効果的なタイプの装置を提供することを目的とする。
【課題を解決するための手段】
【０００４】
上記目的を達成するために、本発明の主要部は、上述のタイプの、コアンダ効果に基づいたエア分配装置であって、下流に配置された２つのダクトの最初の端部が分かれた領域において、下流に配置された２つのダクトの１つに流れる循環通路の入口が設けられ、さらに下流に配置された２つのダクトの１つの入口に対してエアーを循環させるように成形され、このエア循環は、エアフローが下流に配置された他のダクトに逸れるとき、上述のダクトの入口を閉じることを特徴とするエア分配装置とされる。
【０００５】
上述の解決手段は、コアンダ効果によりエアーを偏向させるための手段であって、２つの可動部材を備える手段と共に使用することが好ましい。この可動部材は、上流に配置されたダクトの反対の壁部に配置され、可動部材がエアフローを妨害しない第１ポジションと、可動部材が上記フローに突き出した第２ポジションとの間でそれぞれ移動可能である。上述の可動部材は、互いの部材と同時に移動可能であり、それにより第１可動部材がその第１ポジションにある時、第２可動部材は第２ポジションにあり、逆に上記第１可動部材が第２ポジションにある時、上記第２可動部材は第１ポジションにある。
【０００６】
さらに好ましい実施の形態では、上記可動部材の１つが、それが各ダクトにおいて突き出している第２ポジションにあるときに適切な方向に向いていない、可能性として考えられるエアフローを妨害し上述のフローに循環運動を与えるように成形され、この循環運動は、エアフローが他のダクトに向けられる時、下流に配置されたダクトの１つを閉じる。
【０００７】
本発明に係るエア分配装置の好ましい応用には、自動車のダッシュボードに組み込まれたエア分配システムが含まれる。しかし、本発明に係るコアンダ効果エア分配装置が一般的な応用であることは明らかである。
【０００８】
次に、本発明を自動車のダッシュボードに応用したものに関して詳細に説明する。
【０００９】
添付の図面は、具体例により与えられているだけであって、これに限定するものではない。
【発明を実施するための最良の形態】
【００１０】
図１において、参照番号１は、全体を通して自動車のダッシュボードを概略的に示している。エア分配システム２をダッシュボード内に設ける。このエア分配システム２は、メインダクト３を備える。このメインダクト３は、空調システムからの空気を受け取る。メインダクト３は、メインファン４及びヒータ／蒸発器５を備える。このメインダクト３は、マニホールド若しくはレール６に放出する。このマニホールド若しくはレール６から４つの補助ダクト７が分岐している。この補助ダクト７を、ダッシュボードに沿って並列に、運転手側に一対、乗客側に一対配置している。それぞれの対には、ダッシュボードの中央部分に近接するダクト、自動車のサイドウィンドに近いダクトが含まれる。各補助ダクト７は、３つの末端のダクト８、９及び１０に分岐される（図２参照）。各末端のダクトは、自動車の客室における、空気を外に放出するための開口部で終了している。特に、ダクト８は、フロントガラスの下に配置されている開口部１１に空気を供給する。この開口部１１は、エアフローをフロントガラスの内表面に向けるためのものである。ダクト９は、１以上の開口部１２で終了している。この開口部１２は、ダッシュボードの前面に配置されており、自動車の客室に空気を向けるためのものである。そして、ダクト１０は、１以上の開口部１３で終了している。これは、エアフローを客室のフロアーに向けるためのものである。
【００１１】
各補助ダクト７が３つの末端のダクト８、９及び１０に分岐している領域において、末端のダクト間にエアフローを分配するための手段を設ける。以下にこれを詳細に示している。
【００１２】
分配に関する応用例の主要な部分を形成する重要な特徴部は、エアフローの少なくとも１つの特性を調整するための付加的で独立的な装置を各補助ダクト７に設けることにある。特に、例示した具体的な実施の形態において、エアーの流量を調整するための装置１４及びエアーの温度を調整するための装置１５を各補助ダクト７に取り付ける。例示された具体例において、上記装置１４は、電気制御モータに接続されたファンを備える。一方、装置１５は、ダクトの断面を有し、そこには電気抵抗が挿入されている。
【００１３】
そのため、例示された分配システムにより、開口部１１、１２、１３からそれぞれ排出されるエアフローの流量及び／又は温度を、各補助ダクト７に対して別々に調整することが可能となる。即ち、例示された具体例においては、運転手の領域に対して、乗客に対して、さらに上記領域のそれぞれに対して別々に調整が可能であり、またダッシュボードの中央領域に対して、ウィンドに近接する領域に対して別々に調整が可能である。
【００１４】
図４〜６は、各補助ダクト７から、分岐される末端のダクト８、９及び１０に至る空気の分配を制御する方法を例示している。
【００１５】
上記図面に関して説明する。第１末端ダクト８は、第１曲面壁部８ａを有する。この第１曲面壁部８ａは、補助ダクト７の対応する壁部７ａの延長部分に配置されている。上記壁部に対応するポジションに、可動部材１６がダクトに取り付けられている。この可動部材１６は、壁部７ａ上の結合部１７の軸に関して回動するように配置される。また、可動部材１６を、図４に示すような第１ポジションと、図５に示すような第２ポジションとの間に配置することができる。図４に例示した第１ポジションにおいて、可動部材１６は、補助ダクト７から来るエアフローＦを妨害せず、それにより上記フローは、壁部７ａ及び８ａに「追随した」ままであり、その後第１末端ダクト８に入る。図５に例示した、可動部材１６の第２ポジションにおいて、上記可動部材は、フローＦに突き出し、それにより上記可動部材は上記フローがコアンダ効果により曲面壁部８ｂに付着するよう促す。この曲面壁部８ｂは、壁部８ａに対向し、２つの末端のダクト９、１０の入口に配置される。
【００１６】
末端ダクト８と、２つの末端のダクト９、１０の入口８ｃとの間に、エアフローをより効果的に分配するため、別の可動部材１８を設ける。この可動部材１８は、可動部材１８は図５に示すようにフローＦを妨害しない第１ポジションと、可動部材１８が図４に示すようにフローＦに突き出す第２ポジションとの間に配置することができる。可動部材１６が第１ポジションにある時、可動部材１８が第２ポジションにあるように（図４）、また第１可動部材１６が第２ポジションにある時、第２可動部材１８が第１ポジションにあるように（図５）、２つの可動部材１６、１８を同時に制御しなければならない。例示された具体例において、可動部材１６及び可動部材１８が、軸１７に関して回動するようにダクト７の構造体に配置された単一の部材１９の一部を形成すると、上述のように可動部材１６及び１８を非常に容易に制御することができる。図７に示すように、部材１９は、可動部材１６を規定する羽根付き部材１６、この羽根付き部材１６に略直交するようにこれに強固に接続されたＵ字形の部分を備え、さらにＵ字形の部材は可動部材１８を構成する曲がったクロス状の部材を有する。
【００１７】
図４に例示した状況において、可動部材１８は、それがフローＦが壁部８ｂに付着したままであることを抑制する限り、フローＦが壁部８に「追随すること」を促す。図５に例示された状況において、可動部材１８がフローＦを妨害しないので、この可動部材１８は上記フローがコアンダ効果により壁部８ｂに追随するのを可能とする。
【００１８】
図４〜６に示すように、さらに、別の可動部材１９を、２つの末端のダクト９、１０の入口８ｃの対応するポジションに設ける。この可動部材１９は、共に上述のものと同様の第１可動部材１６及び第２可動部材１８を備える。上記可動部材のオペレーションのモードは、共に上述のものと同様である。図５に例示した状況において、第２可動部材は、フローが上記ダクトに入るようにコアンダ効果により末端のダクト９の第１曲面壁部９ａに対してフローを追随させる。一方、図６に例示された状況において、フローがこのダクト１０に入るように、第２可動部材が末端のダクト１０の曲面壁部１０ａにフローが追随することが好ましい。さらに、このケースにおける可動部材１８は、入口８ｃに入るメインフローＦの可能性として考えられる一部に対して妨害する機能を有する（図４に例示した状況）。この可動部材１８はこの入口８ｃに循環運動Ｃを与える（図４）。この循環運動Ｃは入口８ｃを閉じ、ダクト９、１０での空気の所望のリークを最小に減少させる。
【００１９】
この同じ目的のために、本発明では、末端のダクト８、及び末端のダクト９の入口の対応するポジションにエア循環通路２０を設ける。このエア循環通路２０は、図５及び図６のそれぞれ例示された状況において、可能性として考えられる望ましくない全ての空気リークにより、エア循環Ｃを発生させる。このエア循環Ｃは、フローが向かうように方向付けられたダクトを閉じる。
【００２０】
可動部材１９は、あらゆるタイプのアクチュエータ、例えば電磁気的アクチュエータ（図８におけるアクチュエータ４０等）、若しくは圧電アクチュエータ若しくは形状記憶アクチュエータにより制御される。
【００２１】
図８は、可動部材１９の変形例を示している。この変形例において、可動部材１８を規定するＵ字状の部分が、フローを直線化する機能を有する羽根状部２１を備える。
【００２２】
勿論、本発明の原則を侵害することなく、また本発明の技術範囲から離れることなく、構成及び実施の形態の詳細を、具体例だけにより本明細書において記載され、また例示されたものから広く変更することができる。
【図面の簡単な説明】
【００２３】
【図１】図１は、本発明に係るエア分配システムの基礎をなす原理を示した線図である。
【図２】図２は、本発明に係る自動車ダッシュボード用のエア分配システムの概略部分斜視図である。
【図３】図３は、図２の詳細部分を拡大した図面である。
【図４】図４は、図３の詳細部分を拡大した断面図であって、オペレーションの様々な状況における、本発明に係るシステムを示した断面図である。
【図５】図５は、図３の詳細部分を拡大した断面図であって、オペレーションの様々な状況における、本発明に係るシステムを示した断面図である。
【図６】図６は、図３の詳細部分を拡大した断面図であって、オペレーションの様々な状況における、本発明に係るシステムを示した断面図である。
【図７】図７は、図４〜６の詳細部分の概略斜視図である。
【図８】図８は、図７に示されたアイテムのアクチュエータの概略図である。
【図９】図９は、図７のバリエーションを示している。
【図１】
2005178759.tif 000003
【図２】
2005178759.tif 000004
【図３】
2005178759.tif 000005
【図４】
2005178759.tif 000006
【図５】
2005178759.tif 000007
【図６】
2005178759.tif 000008
【図７】
2005178759.tif 000009
【図８】
2005178759.tif 000010
【図９】
2005178759.tif 000011